(57)【要約】【課題】開口を止水する蓋体を備える電子機器を提供する。【解決手段】右側面２ｇと表面２ａと裏面２ｄとを有する操作筐体２と、操作筐体２の右側面２ｇに形成された電池挿脱口６ａを覆う蓋体４と、操作筐体２の表面２ａに形成された被係止体５とを備える携帯コンピュータである。この蓋体４は、操作筐体２の裏面に固着される固着部４ｅと、操作筐体２の電池挿脱口６ａを覆う蓋部４ａと、操作部筐体２の被係止体５と係合する係合孔４ｆを備える係止部４ｄと、固着部４ｅと蓋部４ａとを連結する第２の屈曲部４ｂと、蓋部４ａと係止部４ｄとを連結する第１の屈曲部４ｃとが一体に形成される構成を有する。【選択図】図２
2014197372.tif 000002
【特許請求の範囲】
【請求項１】
側面と表面と裏面を有する筐体と、
前記筐体の側面に形成された開口部を覆う蓋体と、
前記筐体の表面に形成された突起と、
を備え、
前記蓋体は、
前記筐体の裏面に固着される固着部と、
前記筐体の開口部を覆う蓋部と、
前記筐体の前記突起と係合する係止孔を備える係止部と、
前記固着部と前記蓋部を連結する第1の屈曲部と、
前記蓋部と前記係止部を連結する第２の屈曲部とが、
一体成形された、
電子機器。
【請求項２】
前記開口部と前記蓋部との間に弾性を有する止水部材が配置される、
請求項１に記載の電子機器。
【請求項３】
前記突起は、前記開口部が形成された前記側面に向けて下り勾配で傾斜する傾斜面を有する、
請求項２に記載の電子機器。
【請求項４】
前記係止部の一部は、前記止水部材が前記開口部に向かって押圧された際に、前記突起の表面をスライドすることで、前記突起との係合が解除される、
請求項３に記載の電子機器。
【請求項５】
前記止水部材と前記開口との間にリブを備える、
請求項２記載の電子機器。
【請求項６】
前記係止部につまみ部を備える、
請求項１に記載の電子機器。
【発明の詳細な説明】
【技術分野】
【０００１】
本開示は、筐体に備える開口部を覆う蓋体を備える電子機器に関する。
【背景技術】
【０００２】
携帯型情報読み取り装置の開口に収容した電池の端子面を閉塞する止水蓋は、特許文献１に開示されている。
【先行技術文献】
【特許文献】
【０００３】
【特許文献１】特開２０１１−２４８８２５号公報
【発明の概要】
【発明が解決しようとする課題】
【０００４】
本開示は、開口を止水する蓋体を備える電子機器を提供することを目的とする。
【課題を解決するための手段】
【０００５】
本開示における電子機器は、側面と表面と裏面を有する筐体と、筐体の側面に形成された開口部を覆う蓋体と、筐体の表面に形成された突起と、を備える。そして、蓋体は筐体の裏面に固着される固着部と、筐体の開口部を覆う蓋部と、筐体の突起と係合する係止孔を備える係止部と、固着部と蓋部を連結する第２の屈曲部と、蓋部と係止部を連結する第1の屈曲部とが一体成形される。
【発明の効果】
【０００６】
本開示における電子機器の蓋体は開口部を止水することができる。
【図面の簡単な説明】
【０００７】
【図１】ラップトップ型コンピュータ（ＰＣ）の外観斜視図である。
【図２】ＰＣの要部構成を示す断面斜視図である。
【図３Ａ】同ＰＣの蓋体の要部構成を示す断面図である。
【図３Ｂ】同ＰＣの筐体の要部構成を示す断面図である。
【図４Ａ】同ＰＣの蓋体を筐体から離脱させる要部断面図である。
【図４Ｂ】同ＰＣの蓋体を筐体から離脱させる要部断面図である。
【図４Ｃ】同ＰＣの蓋体と筐体とを離脱させた要部断面図である。
【図４Ｄ】同ＰＣの筐体に蓋体を装着させる要部断面図である。
【図４Ｅ】同ＰＣの筐体と蓋体とを装着した要部断面図である。
【図５】他のＰＣの要部構成を示す断面図である。
【図６Ａ】別のＰＣの要部構成を示す断面斜視図である。
【図６Ｂ】他のＰＣの要部構成を示す断面斜視図である。
【図７】別のＰＣの要部構成を示す断面斜視図である。
【図８Ａ】同ＰＣの筐体に蓋体を装着させる要部断面図である。
【図８Ｂ】同ＰＣの筐体と蓋体とを装着した要部断面図である。
【図９】他のＰＣの要部構成を示す断面斜視図である。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者らは、当業者が本開示を十分に理解するために添付図面および以下の説明を提供するのであって、これらによって特許請求の範囲に記載の主題を限定することを意図するものではない。
【００１０】
以下、実施の形態の一例として、ラップトップ型と称される表示パネルと操作筐体とが回動可能に係合している携帯コンピュータ（ＰＣ）を挙げて説明する。
【００１１】
（実施の形態）
［携帯コンピュータの構成］
図１は、ＰＣの斜視図である。ＰＣは、表示筐体１と操作筐体２とをヒンジ３で開閉自在に支持する構成を備える。表示筐体１には、表示パネル１ａが配置される。操作筐体２は、キーボード２ｂと操作パッド２ｃとを配置した表面２ａ、表面２ａの裏側の裏面２ｄ、使用者が表示パネル１ａを視認することができる図１の状態で使用者側に向く前側面２ｅ、前側面２ｅとキーボード２ｂと操作パッド２ｃとを介して対向する後側面２ｆ、使用者の右側の右側面２ｇ、および使用者の左側の左側面２ｈで構成される。ヒンジ３は、操作筐体２に対して表示筐体１を開閉自在に軸支している。なお、図１は、表示筐体１を開かれた開蓋状態を示している。また、操作筐体２の右側面２ｇには、後側面２ｆ近傍に、蓋体４を備えている。本実施の形態では、蓋体４は、右側面２ｇにおける後側面２ｆ側に配置される場合を示しているが、配置される箇所は左側面２ｈ、前側面２ｅまたは後側面２ｆであってもよい。また、蓋体４は、本実施の形態ではＰＣを駆動する電池６を挿脱する電池挿脱口６ａを覆っている。
【００１２】
［蓋体の構成］
図２は、蓋体４近傍を拡大した図１におけるＡ−Ａ矢視断面斜視図である。また、図３Ａおよび図３Ｂは、蓋体４近傍を拡大した図２におけるＢ−Ｂ矢視断面図である。なお、図３Ａは、係止部４ｄのみの断面を示している。また、図３Ｂは、図３Ａに対応する操作筐体２の前側面２ｅの断面を示している。
【００１３】
蓋体４は、蓋部４ａ、第２の屈曲部４ｂ、第1の屈曲部４ｃ、係止部４ｄ、および固着部４ｅで構成される。蓋部４ａは、一端が第２の屈曲部４ｂを介して係止部４ｄと一体に構成され、他端が第1の屈曲部４ｃを介して固着部４ｅと一体に構成されている。係止部４ｄは、係合孔４ｆが右側面２ｇに沿って長孔状に形成されている。なお、図２に示した状態では、この係止部４ｄの係合孔４ｆに、後述する被係止体５が挿入されている。本実施の形態における係合孔４ｆは、被係止体５が貫通することができる孔の形状を備える。一方、固着部４ｅは、裏面２ｄに固着されている。固着部４ｅと裏面２ｄとの固着の方法としては、接着材による接着やネジ等による螺結等の手法によって固着することができる。本実施の形態では、両面に接着性を有する両面テープで接着した。また、本実施の形態では、第２の屈曲部４ｂおよび第1の屈曲部４ｃに、屈曲性と復元性とを備えるエラストマー性の樹脂で構成した。蓋部４ａ、第２の屈曲部４ｂおよび係止部４ｄは、上述のエラストマー性樹脂を適用した。なお、蓋部４ａ、係止部４ｄおよび固着部４ｅと、第２の屈曲部４ｂおよび第1の屈曲部４ｃとは、厚みが異なる。このように厚み変えることによって、蓋部４ａ、係止部４ｄおよび固着部４ｅと、第２の屈曲部４ｂおよび第1の屈曲部４ｃとの機械的特性に差をつけた。具体的に言えば、蓋部４ａ、係止部４ｄおよび固着部４ｅに対して、第２の屈曲部４ｂおよび第1の屈曲部４ｃは厚みが薄い。このようにすることで、第２の屈曲部４ｂおよび第1の屈曲部４ｃに屈曲性能を持たせ、蓋体４の一部にヒンジのような機能を持たせている。
【００１４】
右側面２ｇに配置した電池挿脱口６ａの周囲は、止水部材７によって押圧される。電池６は電池挿脱口６ａの周囲が、止水部材７に押圧されることにより、防水性を維持しながら操作筐体２に内蔵される。つまり、電池挿脱口６ａは、電池６を挿脱する開口部の一例である。なお、止水部材７には、押圧力に追従して変形し、押圧力が除去されると復元する発泡性を有するポリウレタン樹脂を適用した。
【００１５】
係止部４ｄは、図３Ａに示したように、表面２ａと対向する表面対向面４ｇ、係止部４ｄの表面を構成する表層面４ｈ、表層面４ｈから表面対向面４ｇまで貫通した係合孔４ｆで構成される。この係合孔４ｆの外形は、略直方体形状で構成され、第２の屈曲部４ｂ側の面の第２係合面４ｋ、第２係合面４ｋと係合孔４ｆを介して対向する面の第１係合面４ｉ、第１係合面４ｉと表面対向面４ｇとが成す稜線の境界部４ｊで構成される。
【００１６】
また、表面２ａには、図３Ｂに示したように、係止部４ｄの係合孔４ｆに挿入される被係止体５を配置した。つまり、被係止体５は、操作筐体２の表面２ａから突出する突起の一例である。被係止体５は、被係止体５が係合孔４ｆに挿入されている状態で、表面２ａにおける係止部４ｄが対向する係止部対向面２ｉ上に配置されている。被係止体５は、第１被係止面５ａ、平坦面５ｂ、傾斜面５ｃ、および第２被係止面５ｄを備える。被係止体５が係合孔４ｆに挿入されているとき、第１被係止面５ａは係合孔４ｆの第１係合面４ｉと係合する。また、本実施の形態では、被係止体５が係合孔４ｆに挿入されているとき、係合孔４ｆの第２係合面４ｋが係合する第２被係止面５ｄを配置した。第１被係止面５ａと第２被係止面５ｄとの間には、係止部対向面２ｉと略平行に構成された平坦面５ｂと、平坦面５ｂから第２被係止面５ｄに下りこう配で傾斜する傾斜面５ｃとが配置される。また、係止部対向面２ｉから平坦面５ｂまでの距離の第１被係止面５ａは、係止部対向面２ｉから傾斜面５ｃにおける右側面２ｇ側までの距離の第２被係止面５ｄよりも高く構成した。
【００１７】
［係止部と被係止体との係合］
このように構成した被係止体５と係止部４ｄとの係合を、図４Ａ乃至図４Ｅを参照して説明する。なお、図４Ａ乃至図４Ｅは、図２におけるＢ−Ｂ矢視図である。
【００１８】
図４Ａは、被係止体５が係合孔４ｆに挿入された状態を示す拡大断面図である。蓋部４ａ、第２の屈曲部４ｂおよび係止部４ｄと表面２ａとの間には、止水部材７が配置されている。蓋部４ａは第1の屈曲部４ｃで電池挿脱口６ａから離隔する方向に力を受けている。よって、被係止体５が係合孔４ｆに挿入されている状態では、係合孔４ｆの第１係合面４ｉは被係止体５の第１被係止面５ａに引っ張り力で接触している。したがって、使用者は蓋部４ａで電池装脱口６ａに蓋をする際には、この引っ張り力以上の力を、係止部４ｄに付与する。すなわち、使用者は、係止部４ｄの第２の屈曲部４ｂ側の側面に引っ張り力以上の力Ｆ１を加える。力Ｆ１の印加により、蓋部４ａが止水部材７をＦ２で押圧する。また、第２の屈曲部４ｂは、厚みが蓋部４ａおよび係止部４ｄよりも薄く、しかも材質がエラストマー性樹脂であるため、止水部材７の押圧変形に追従しながら、長さも若干伸びる。これらが合成されて、係合孔４ｆにおける第１係合面４ｉと第１被係止面５ａとの面的接触が外れる方向に斜めの力Ｆ３が作用する。また、力Ｆ３は、図示されるように第２係合面４ｋと第２被係止面５ｄとの係合が解除される方向にも作用する。これらの力で、係止部４ｄが表面２ａから離隔し、被係止体５は係合孔４ｆから抜去される。
【００１９】
被係止体５の第１被係止面５ａが係合孔４ｆの外に出現した直後の様子を、図４Ｂに示す。蓋部４ａで圧縮されていた止水部材７は、第１係合面４ｉと第１被係止面５ａとの面的接触が外れることで、第２の屈曲部４ｂは元の自然長に復帰する力Ｆ４を蓋部４ａに付与する。また、第1の屈曲部４ｃは蓋部４ａが電池挿脱口６ａから離脱する方向に力を及ぼす。さらに、第２の屈曲部４ｂのエラストマー性に起因する伸びは、第２の屈曲部４ｂを収縮させる方向の力も作用する。これらが合成され、力Ｆ５として蓋部４ａに印加され、その結果力Ｆ６が係止部４ｄに加えられる。力Ｆ６の印加により、境界部４ｊ（図３Ａ参照）は、平坦面５ｂおよび傾斜面５ｃを摺動する。
【００２０】
このように力Ｆ６が係止部４ｄに加わると、第１被係止面５ａと第１係合面４ｉとの摺動が外れ、蓋部４ａは、第1の屈曲部４ｃにより、電池挿脱口６ａから開蓋する方向に力Ｆ５として作用する。このようにして図４Ｃに示したように、係止部４ｄは係止部対向面２ｉから離隔する。その結果、操作筐体２に収納されていた電池６を、電池挿脱口６ａを通じて外部に取り外すことができる。なお、係止部４ｄが係止部対向面２ｉから離隔した後、蓋部４ａと係止部４ｄとの内角はθとなる。本実施の形態では、蓋部４ａと係止部４ｄとの内角θが９０度以下になるように、第２の屈曲部４ｂで復元させる構成とした。
【００２１】
次に、蓋部４ａを電池挿脱口６ａに密着させる構成を、図４Ｄに示す。蓋部４ａで電池挿脱口６ａを閉蓋する際には、使用者は、係止部４ｄの第２の屈曲部４ｂ側の側面を力Ｆ８で押圧する。この押圧により、蓋部４ａと表面２ａおよび電池挿脱口６ａとの間に配置した止水部材７が押圧される。止水部材７が押圧変形されることで、係止部４ｄの係合孔４ｆに力Ｆ９が印加され、被係止体５は係合孔４ｆに挿入される。前述したように、蓋部４ａと係止部４ｄとが成す内角θを９０度以下としたため、係止部４ｄの第２の屈曲部４ｂ側の側面を使用者が力Ｆ８で押圧するだけで、力Ｆ９が係止部４ｄに加わる。すなわち、力Ｆ８の印加により、係合孔４ｆに力Ｆ９として伝達する。力Ｆ９が係合孔４ｆに印加されると、境界部４ｊ（図３Ａ参照）は、傾斜面５ｃ（図３Ｂ参照）に沿って第１被係止面５ａ（図３Ｂ参照）の方向に移動する。力Ｆ９の押圧力で境界部４ｊが平坦面５ｂにおける第１被係止面５ａ側を越えたとき、力Ｆ１０によって、係止部４ｄは係止部対向面２ｉの方向に移動する。このようにして、被係止体５は、係止部４ｄの係合孔４ｆに挿入させることができる。つまり、蓋部４ａが電池挿脱口６ａから離脱した状態で、係止部４ｄは蓋部４ａに対する内角が９０度以下とすることによって、係止部４ｄを被係止体５に対して装着し易い構成とすることができる。
【００２２】
力Ｆ１０は、境界部４ｊが平坦面５ｂにおける第１被係止面５ａ側を越えた後、図４Ｅに示した力Ｆ１１として作用する。力Ｆ１１は、係合孔４ｆに被係止体５を挿入する方向に印加するため、係止部４ｄは被係止体５に係合する。すなわち、第１係合面４ｉは、第１被係止面５ａに密着する。このように構成することで、蓋部４ａが止水部材７を電池挿脱口６ａに力Ｆ１２で押圧し、操作筐体２に内蔵する電池６を防水させることができる。なお、本実施の形態では、被係止体５に第２被係止面５ｄを配置した。第２被係止面５ｄを配置させることで、第２係止面４ｋにも第２被係止面５ｄを密着する構成が実現でき、被係止体５は係合孔４ｆに確実に挿入させることができる。しかしながら、第２被係止面５ｄは省略することもできる。つまり、傾斜面５ｃが係止部対向面２ｉから直接傾斜する構成であっても、第１被係止面５ａと第１係合面４ｉとが密着する構成であれば、蓋部４ａは電池挿脱口６ａを密閉する構成は実現できる。なお、図３Ｂに示したように、第１被係止面５ａの係止部対向面２ｉからの高さは、第２被係止面５ｄの係止部対向面２ｉからの高さよりも高く構成した。この構成により、係止部４ｄの表面対向面４ｇや境界部４ｊは、傾斜面５ｃおよび平坦面５ｂを摺動させることができ、境界部４ｊを第１被係止面５ａに沿わせて係止孔５に被係止体５を挿入させ、係止部対向面２ｉに当接させることができる。
【００２３】
以上のように、蓋体４に配置した係合孔４ｆに、操作筐体２の表面２ａに配置した被係止体５が可逆的に挿脱されることで、電池挿脱口６ａを蓋部４ａで開閉蓋させることができる。また、止水部材７により電池挿脱口６ａが押圧されるため、蓋部４ａが閉蓋している状態では、水分等の液体に対して脆弱な電池６を止水させることができる。つまり、蓋体４は、一端部がこの操作筐体２に回動可能に固着されているとともに、この一端部を除く三方向で操作筐体２と係合して、止水部材７に対して押圧された状態で保持される構成であるため、蓋体４と操作筐体２とが係合しているときは防水性を実現することができる。
【００２４】
［変形例１］
蓋部４ａが電池挿脱口６ａを密閉する構成について、他の実施形態を図５に示す。なお、図５において図４Ａと同様な構成については、同一符号を付し、説明は割愛する。本変形例では、操作筐体２における蓋部４ａが対向する面に、リブ２ｊを配置した。なお、このリブ２ｊは、表面２ａだけを図示しているが、裏面２ｄおよび右側面２ｇにおける電池挿脱口６ａを囲むように、蓋部４ａの方向に突出して形成されている。
【００２５】
このように、蓋部４ａが電池挿脱口６ａを閉蓋している状態で、蓋部４ａの方向に突出するリブ２ｊは、止水部材７に当接する。止水部材７に当接したリブ２ｊは、力Ｆ１２で蓋部４ａが電池挿脱口６ａの方向に印加されるため、止水部材７の中に埋没する。したがって、この埋没によって、電池６に対する止水性能を向上させることができる。
【００２６】
なお、本変形例におけるリブ２ｊは一条だけ配置したが、リブ２ｊの数は限定するものではない。また、リブ２ｊを配置した面からの高さ、およびリブ２ｊを配置した面と平行な幅の長さは、用いる止水部材７の応力に対する変形量に応じて決定することができる。また、リブ２ｊは、電池挿脱口６ａから係止部４ｄ方向に離隔して配置した例で説明したが、これは一例である。リブ２ｊは、例えば電池挿脱口６ａの外周に備えてもよい。
【００２７】
［変形例２］
係合孔４ｆは、係止部４ｄの表層面４ｈから表面対向面４ｇに貫通する構成で説明したが、これは一例である。他の例として、図６Ａに示したように、表層面４ｈに対して非貫通の係止部４ｍであってもよい。係止部４ｍは、被係止体５を挿入する係合穴４ｌの表層面を塞いでいる。係合穴４ｌを塞ぐことにより、係止部４ｍの機械的強度を向上させることができる。例えば図４Ａや図４Ｄにおける第２の屈曲部４ｂ側の側面を押圧する際に、印加力による係止部４ｍの変形を抑制することができる。なお、表面対向面４ｇ（図３Ａ参照）から係合穴４ｌの深さは、被係止体５の係止部対向面２ｉ（図３Ｂ参照）から平坦面５ｂの高さや、止水部材７による力Ｆ４（図４Ｂ参照）および蓋部４ａに加えられる力Ｆ５などに応じて決定される。
【００２８】
また、図６Ｂに示したように、表層面４ｈから表面対向面４ｇまで貫通する係合孔４ｆを備える係止部４ｄの表層面４ｈに、板部材８を配置する構成でも適用することができる。この板部材８としては、係止部４ｄよりも強度が高い例えばアクリロニトリル・スチレン共重合体のように、操作筐体２の構成材料等を用いることができる。また、板部材８と係止部４ｄとは、例えば接着することで一体化することができる。このように板部材８を用いることにより、係止部４ｄとしての機械的な強度を向上させることができ、係止部４ｄの第２の屈曲部４ｂ側の側面を押圧する際に、板部材８の強度で第２の屈曲部４ｂ自体の変形を抑制することもでき、例えば図４Ａや図４Ｅに示したように、被係止部５を係止穴４ｌに挿入することができる。さらに、例えば図４Ａに示した状態において、使用者は、第２の屈曲部４ｂ側の板部材８を押圧することにより、係止部４ｄの係止孔４ｆに被係止体５を挿入することができる。つまり、被係止体５の挿入に対する操作性を向上させることができる。
【００２９】
［変形例３］
係止部４ｍの係止穴４ｌに被係止体５を挿入するとき、例えば図６Ａに示したように、使用者は係止部４ｍの第２の屈曲部４ｂ側の側面を、指で押圧する。指で押圧するとき、使用者の指の腹が、係止部４ｍの表層面に係合する。指が係合するつまみ部４ｎを係止部４ｍに配置した一例を、図７に示す。図７に示したように、本実施の形態では、係止部４ｍの表層面につまみ部４ｎを配置した。なお、図７において図６Ａと同様な構成については、同一符号を付し、説明は割愛する。また、図７におけるＣ−Ｃ矢視図を図８Ａおよび図８Ｂに示す。なお、図８Ａおよび図８Ｂにおいて、図４Ａおよび図４Ｅと同様な構成については、同一符号を付し、説明は割愛する。
【００３０】
つまみ部４ｎを配置したことで、使用者は、係止部４ｍの第２の屈曲部４ｂ側の側面を指の腹で押圧する動作を、図８Ａに示したように、つまみ部４ｎを押圧することで達成することができる。すなわち、つまみ部４ｎを力Ｆ１３で押圧することにより、係合穴４ｌに力Ｆ１４が印加される。印加された力Ｆ１４は、境界部４ｊが被係止体５の傾斜面５ｃおよび平坦面５ｂを摺動させる。平坦面５ｂを摺動した後、力Ｆ１５の作用により、第１係合面４ｉは第１被係止面５ａに密着する。このようにして、図８Ｂに示したように、係止部４ｍは被係止体５を収納し、蓋部４ａは電池挿脱口６ａを閉蓋させる。つまり、使用者は、つまみ部４ｎを押圧することで、係止部４ｍに被係止体５を挿入することができる。また、つまみ部４ｎは、図８Ｂの状態から、蓋部４ａを開蓋するとき、使用者は、図８ＡにおけるＦ１３の反対側からつまみ部４ｎに力を印可することで、被係止体５と蓋体４との係合を解除させることができる。すなわち、Ｆ１３と反対側からつまみ部４ｎに力を印可すると、例えばＦ１４の方向に押圧することと等価となり、境界部４ｊと傾斜面５ｃとの摺動を解除し、係合穴４ｌに被係合体５が離脱するように助成させることができる。つまり、使用者はつまみ部４ｎを押圧することで、係止部４ｍにおけるつまみ部４ｎを配置した位置を支点として、てこの原理により、係合穴４ｌに被係合体５を離脱させることができる。その結果、被係止体５の挿入および離脱に対する操作性を向上させることができる。
【００３１】
なお、つまみ部４ｎは、係止部４ｍと別部材としたが同一部材で構成してもよい。また、つまみ部４ｎの形状は、直方体としたが例えば三角柱等のように、使用者の指の腹に沿い易い形状であってもよい。また、上述の実施の形態では、係合穴４ｌを備える係止部４ｍで説明したが、係合孔４ｆを備える係止部４ｄであっても適用することができる。
【００３２】
また、上述の実施の形態では、つまみ部４ｎは係止部４ｍの表層面４ｈに配置する例で説明したが、図９に示したように、係止部４ｄの表層面４ｈに板部材９ａを配置してもよい。板部材９ａは、図６Ｂと同様に係止部４ｄの表層面４ｈに例えば貼付する構成である。この構成では、つまみ部９ｂは、板部材９ａにおける係止部４ｄの表層面に配置する。このつまみ部９ｂは、板部材９ａと別部材で構成し貼付してもよいし、あるいは例えば板部材９ａと一体成形してもよい。本実施の形態におけるつまみ部９ｂは、先の実施の形態におけるつまみ部４ｎと同様に、被係止体５の挿入および挿脱に対する操作性を向上させることができる。
【００３３】
また、蓋部４ａ、係止部４ｄおよび固着部４ｅは、操作筐体２の表面２ａや裏面２ｄ等に適用される高硬度の材料を適用することができる。高硬度の材料としては、例えば有機樹脂では、アクリロニトリル・スチレン共重合体、スチレン・ブタジエン・アクリロニトリル共重合体、ポリエチレンテレフタレート樹脂等を適用することができ、例えば金属材料としては、金属アルミニウム、含アルミニウム合金、金属マグネシウム、含マグネシウム合金等を適用することができる。
【００３４】
上述の実施の形態では、係止部４ｄの係合孔４ｆの第１係合面４ｉと、被係止体５の第１被係止面５ａとは共に傾斜していない面として説明したが、これは一例である。例えば、第１係合面４ｉおよび第１被係止面５ａに、係止部４ｄと被係止体５とが係合する方向に傾斜を備えさせる構成等であってもよい。
【００３５】
本実施の形態では、リブ２ｊは、電池挿脱口６ａの周囲から離隔して配置した。その結果、リブ２ｊが止水部材７に埋没されることで、例えばＰＣが外乱により横揺れ等が生じ、内蔵する電池６の搖動に対し止水部材７の位置ずれを抑制することができる。また、このリブ２ｊは、電池挿脱口６ａの周囲に配置してもよい。さらに、本実施の形態では、一条のリブ２ｊを配置したが、例えば電池挿脱口６ａの周囲と、電池挿脱口６ａの周囲から離隔して配置との二条等、リブ２ｊの数は限定されるものではない。また、上述の実施の形態では、止水部材７を係止部４ｄおよび蓋部４ａに密着させた構成で説明した。止水部材７は、表面２ａと蓋部４ａとの間に配置させることで、電池６の止水性を確保することができる。したがって、止水部材７は、係止部４ｄと蓋部４ａとに密着させる必要はない。すなわち、表面２ａ、裏面２ｄおよび右側面２ｇにおける蓋部４ａが対面する部分に止水部材７を密着させる構成であってもよい。また、止水部材７を密着して配置する構成としては、例えば接着材での接着、二色成形等の手法を適用することができる。
【００３６】
本実施の形態では、蓋体４で電池６の蓋をする構成として説明したが、電池６は一例である。例えばＵＳＢ（Ｕｎｉｖｅｒｓａｌ  Ｓｅｒｉａｌ  Ｂｕｓ）端子、有線および無線ＬＡＮ（Ｌｏｃａｌ  Ａｒｅａ  Ｎｅｔｗｏｒｋ）端子、ケーブルコネクタ端子等の端子や、また上筐体と下筐体とを接合する接合部等であってもよい。
【００３７】
上述の実施の形態では、表示パネルと操作筐体とが回動可能に係合しているラップトップ型コンピュータの例で説明したが、これは一例である。コンピュータとしては例えばタブレット型やタブレット型とラップトップ型とに可逆的に変位するコンバーチブル型であってもよい。また、コンピュータ以外としては、例えば携帯電話、携帯ゲーム機等の携帯電子機器を始め、例えば上筐体と下筐体とを止水接続する電子機器にも適用することができる。また、操作筐体は、筐体の一実施の形態である。
【００３８】
以上のように、本出願において開示する技術の例示として、実施の形態乃至変形例３を説明した。しかしながら、本開示の技術は、これに限定されず、適宜、変更、置き換え、付加、省略などを行った実施の形態にも適用可能である。また、上記実施の形態乃至変形例３で説明した各構成要素を組み合わせて、新たな実施の形態とすることも可能である。
【００３９】
以上のように、本開示における技術の例示として、実施の形態を説明した。そのために、添付図面および詳細な説明を提供した。
【００４０】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００４１】
また、上述の実施の形態は、本開示における技術を例示するためのものであるから、特許請求の範囲またはその均等の範囲において種々の変更、置き換え、付加、省略などを行うことができる。
【産業上の利用可能性】
【００４２】
本開示は、例えばラップトップ型やタブレット型のコンピュータ、携帯電話、携帯ゲーム機等を始め、上筐体と下筐体とを止水接続する電子機器に広く適用することができる。
【符号の説明】
【００４３】
１  表示筐体
１ａ  表示パネル
２  操作筐体
２ａ  表面
２ｂ  キーボード
２ｃ  操作パッド
２ｄ  裏面
２ｅ  前側面
２ｆ  後側面
２ｇ  右側面
２ｈ  左側面
２ｉ  係止部対向面
２ｊ  リブ
３  ヒンジ
４  蓋体
４ａ  蓋部
４ｂ  第２の屈曲部
４ｃ  第１の屈曲部
４ｄ  係止部
４ｅ  固着部
４ｆ  係合孔
４ｇ  表面対向面
４ｈ  表層面
４ｉ  第１係合面
４ｊ  境界部
４ｋ  第２係合面
４ｌ  係合穴
４ｍ  係止部
４ｎ  つまみ部
５  被係止体
５ａ  第１被係止面
５ｂ  平坦面
５ｃ  傾斜面
５ｄ  第２被係止面
６  電池
６ａ  電池挿脱口
７  止水部材
８  板部材
９ａ  板部材
９ｂ  つまみ部
【図１】
2014197372.tif 000003
【図２】
2014197372.tif 000004
【図３Ａ】
2014197372.tif 000005
【図３Ｂ】
2014197372.tif 000006
【図４Ａ】
2014197372.tif 000007
【図４Ｂ】
2014197372.tif 000008
【図４Ｃ】
2014197372.tif 000009
【図４Ｄ】
2014197372.tif 000010
【図４Ｅ】
2014197372.tif 000011
【図５】
2014197372.tif 000012
【図６Ａ】
2014197372.tif 000013
【図６Ｂ】
2014197372.tif 000014
【図７】
2014197372.tif 000015
【図８Ａ】
2014197372.tif 000016
【図８Ｂ】
2014197372.tif 000017
【図９】
2014197372.tif 000018